(57)【要約】  本明細書における開示は、冷凍および空気調節システム、特に遠心圧縮機システムにおいて使用するための、１，１，１，２，２，４，５，５，５−ノナフルオロ−４−（トリフルオロメチル）−３−ペンタノン組成物である。さらに、共沸性または近共沸性である、１，１，１，２，２，４，５，５，５−ノナフルオロ−４−（トリフルオロメチル）−３−ペンタノンとフルオロエーテル類との組合せもまた開示されている。【特許請求の範囲】
【請求項１】
１，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび１−エトキシ−１，１，２，２−テトラフルオロエタン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；ならびに
１，１，１，２，２，４，５，５，５−ノナフルオロ−４−（トリフルオロメチル）−３−ペンタノンおよび１，１，１，２，２，３，３−ヘプタフルオロ−３−メトキシプロパン
からなる群より選択されることを特徴とする組成物。
【請求項２】
１，１，１，２，２，４，５，５，５−ノナフルオロ−４−（トリフルオロメチル）−３−ペンタノンと、
１−（ジフルオロメトキシ）−１，１，２−トリフルオロエタン；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（トリフルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
１−（１，１，−ジフルオロエトキシ）−１，１，２，２−テトラフルオロエタン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
１，１，１，２，３，３−ヘキサフルオロ−３−（ペンタフルオロエトキシ）プロパン；
２−エトキシ−１，１，１，２，３，３，３−ヘプタフルオロプロパン：
３−エトキシ−１，１，１，２，２，３，３−ヘプタフルオロプロパン；
１−（１，１，２，２−テトラフルオロエトキシ）プロパン；
２，３−ジフルオロ−４−（トリフルオロメチル）オキセタン；
１−エトキシ−１，１，２，２−テトラフルオロエタン；
Ｃ４Ｆ９ＯＣＨ３；
Ｃ４Ｆ９ＯＣ２Ｈ５；および
１，１，１，２，２，３，３−ヘプタフルオロ−３−メトキシプロパン
からなる群より選択される少なくとも１種のフルオロエーテルと
を含むことを特徴とする組成物。
【請求項３】
前記組成物が：
約１〜約７９重量パーセントの１，１，１，２，２，４，５，５，５−ノナフルオロ−４−（トリフルオロメチル）−３−ペンタノンおよび約９９〜約２１重量パーセントの１−（ジフルオロメトキシ）−１，１，２−トリフルオロエタン；
約３８〜約９９重量パーセントの１，１，１，２，２，４，５，５，５−ノナフルオロ−４−（トリフルオロメチル）−３−ペンタノンおよび約６２〜約１重量パーセントの１−（ジフルオロメトキシ）−１，２，２−トリフルオロエタン；
約２０〜約８２重量パーセントの１，１，１，２，２，４，５，５，５−ノナフルオロ−４−（トリフルオロメチル）−３−ペンタノンおよび約８０〜約１８重量パーセントの２−フルオロメトキシ−１，１，１，２−テトラフルオロエタン；
約３６〜約８２重量パーセントの１，１，１，２，２，４，５，５，５−ノナフルオロ−４−（トリフルオロメチル）−３−ペンタノンおよび約６４〜約１８重量パーセントの１−メトキシ−１，１，２，２−テトラフルオロエタン；
約２８〜約８５重量パーセントの１，１，１，２，２，４，５，５，５−ノナフルオロ−４−（トリフルオロメチル）−３−ペンタノンおよび約７２〜約１５重量パーセントの２−メトキシ−１，１，１，２−テトラフルオロエタン；
約４９〜約８７重量パーセントの１，１，１，２，２，４，５，５，５−ノナフルオロ−４−（トリフルオロメチル）−３−ペンタノンおよび約５１〜約１３重量パーセントの１−ジフルオロメトキシ−２，２−ジフルオロエタン；
約５８〜約９１重量パーセントの１，１，１，２，２，４，５，５，５−ノナフルオロ−４−（トリフルオロメチル）−３−ペンタノンおよび約４２〜約９重量パーセントの２−メトキシ−１，１，２−トリフルオロエタン；
約５３〜約８９重量パーセントの１，１，１，２，２，４，５，５，５−ノナフルオロ−４−（トリフルオロメチル）−３−ペンタノンおよび約４７〜約１１重量パーセントの１，１−ジフルオロ−２−メトキシエタン；
約１〜約８５重量パーセントの１，１，１，２，２，４，５，５，５−ノナフルオロ−４−（トリフルオロメチル）−３−ペンタノンおよび約９９〜約１５重量パーセントの１，１，２，２−テトラフルオロ−３−（トリフルオロメトキシ）プロパン；
約１〜約８４重量パーセントの１，１，１，２，２，４，５，５，５−ノナフルオロ−４−（トリフルオロメチル）−３−ペンタノンおよび約９９〜約１６重量パーセントの１−（２，２−ジフルオロエトキシ）−１，１，２，２，２−ペンタフルオロエタン；
約１〜約８５重量パーセントの１，１，１，２，２，４，５，５，５−ノナフルオロ−４−（トリフルオロメチル）−３−ペンタノンおよび約９９〜約１５重量パーセントの３−（ジフルオロメトキシ）−１，１，１，２，２−ペンタフルオロプロパン；
約３９〜約９９重量パーセントの１，１，１，２，２，４，５，５，５−ノナフルオロ−４−（トリフルオロメチル）−３−ペンタノンおよび約６１〜約１重量パーセントの１，１，１，３，３，３−ヘキサフルオロ−２−（フルオロメトキシ）プロパン；
約１〜約９９重量パーセントの１，１，１，２，２，４，５，５，５−ノナフルオロ−４−（トリフルオロメチル）−３−ペンタノンおよび約９９〜約１重量パーセントの１，１，２−トリフルオロ−１−メトキシ−２−（トリフルオロメトキシ）エタン；
約４７〜約８８重量パーセントの１，１，１，２，２，４，５，５，５−ノナフルオロ−４−（トリフルオロメチル）−３−ペンタノンおよび約５３〜約１２重量パーセントの１，１，１，２，３，３−ヘキサフルオロ−３−メトキシプロパン；
約３２〜約９０重量パーセントの１，１，１，２，２，４，５，５，５−ノナフルオロ−４−（トリフルオロメチル）−３−ペンタノンおよび約６８〜約１０重量パーセントの１，１，１，３，３，３−ヘキサフルオロ−２−メトキシプロパン；
約５７〜約９４重量パーセントの１，１，１，２，２，４，５，５，５−ノナフルオロ−４−（トリフルオロメチル）−３−ペンタノンおよび約４３〜約６重量パーセントの１，１，２，２，３，３−ヘキサフルオロ−３−メトキシプロパン；
約６０〜約９９重量パーセントの１，１，１，２，２，４，５，５，５−ノナフルオロ−４−（トリフルオロメチル）−３−ペンタノンおよび約４０〜約１重量パーセントの１−（１，１，−ジフルオロエトキシ）−１，１，２，２−テトラフルオロエタン；
約５６〜約９９重量パーセントの１，１，１，２，２，４，５，５，５−ノナフルオロ−４−（トリフルオロメチル）−３−ペンタノンおよび約４４〜約１重量パーセントの３−（ジフルオロメトキシ）−１，１，２，２−テトラフルオロプロパン；
約２８〜約８８重量パーセントの１，１，１，２，２，４，５，５，５−ノナフルオロ−４−（トリフルオロメチル）−３−ペンタノンおよび約７２〜約１２重量パーセントの１，１，１，２，２−ペンタフルオロ−３−メトキシプロパン；
約１〜約９９重量パーセントの１，１，１，２，２，４，５，５，５−ノナフルオロ−４−（トリフルオロメチル）−３−ペンタノンおよび約９９〜約１重量パーセントの２−（ジフルオロメトキシ）−１，１，１−トリフルオロプロパン；
約５５〜約９２重量パーセントの１，１，１，２，２，４，５，５，５−ノナフルオロ−４−（トリフルオロメチル）−３−ペンタノンおよび約４５〜約８重量パーセントの２−エトキシ−１，１，１，２−テトラフルオロエタン；
約４１〜約９１重量パーセントの１，１，１，２，２，４，５，５，５−ノナフルオロ−４−（トリフルオロメチル）−３−ペンタノンおよび約５９〜約９重量パーセントの１，１，１−トリフルオロ−２−エトキシエタン；
約５５〜約９１重量パーセントの１，１，１，２，２，４，５，５，５−ノナフルオロ−４−（トリフルオロメチル）−３−ペンタノンおよび約４５〜約９重量パーセントの１，１，１−トリフルオロ−３−メトキシプロパン；
約４５〜約８８重量パーセントの１，１，１，２，２，４，５，５，５−ノナフルオロ−４−（トリフルオロメチル）−３−ペンタノンおよび約５５〜約１２重量パーセントの１，１，１−トリフルオロ−２−メトキシプロパン；
約５４〜約８９重量パーセントの１，１，１，２，２，４，５，５，５−ノナフルオロ−４−（トリフルオロメチル）−３−ペンタノンおよび約４６〜約１１重量パーセントの１−エトキシ−１，２，２−トリフルオロエタン；
約１〜約９９重量パーセントの１，１，１，２，２，４，５，５，５−ノナフルオロ−４−（トリフルオロメチル）−３−ペンタノンおよび約９９〜約１重量パーセントの１，１，１，２，３，３−ヘキサフルオロ−３−（ペンタフルオロエトキシ）プロパン；
約１〜約９９重量パーセントの１，１，１，２，２，４，５，５，５−ノナフルオロ−４−（トリフルオロメチル）−３−ペンタノンおよび約９９〜約１重量パーセントの２−エトキシ−１，１，１，２，３，３，３−ヘプタフルオロプロパン；
約１〜約９９重量パーセントの１，１，１，２，２，４，５，５，５−ノナフルオロ−４−（トリフルオロメチル）−３−ペンタノンおよび約９９〜約１重量パーセントの３−エトキシ−１，１，１，２，２，３，３−ヘプタフルオロプロパン；
約６２〜約９９重量パーセントの１，１，１，２，２，４，５，５，５−ノナフルオロ−４−（トリフルオロメチル）−３−ペンタノンおよび約３８〜約１重量パーセントの１−（１，１，２，２−テトラフルオロエトキシ）プロパン；
約５４〜約９２重量パーセントの１，１，１，２，２，４，５，５，５−ノナフルオロ−４−（トリフルオロメチル）−３−ペンタノンおよび約４６〜約８重量パーセントの２，３−ジフルオロ−４−（トリフルオロメチル）オキセタン；
約５０〜約９０重量パーセントの１，１，１，２，２，４，５，５，５−ノナフルオロ−４−（トリフルオロメチル）−３−ペンタノンおよび約５０〜約１０重量パーセントの１−エトキシ−１，１，２，２−テトラフルオロエタン；
約４０〜約９９重量パーセントの１，１，１，２，２，４，５，５，５−ノナフルオロ−４−（トリフルオロメチル）−３−ペンタノンおよび約６０〜約１重量パーセントのＣ４Ｆ９ＯＣＨ３；
約６３〜約９９重量パーセントの１，１，１，２，２，４，５，５，５−ノナフルオロ−４−（トリフルオロメチル）−３−ペンタノンおよび約３７〜約１重量パーセントのＣ４Ｆ９ＯＣ２Ｈ５；ならびに
約１〜約７６重量パーセントの１，１，１，２，２，４，５，５，５−ノナフルオロ−４−（トリフルオロメチル）−３−ペンタノンおよび約９９〜約２４重量パーセントの１，１，１，２，２，３，３−ヘプタフルオロ−３−メトキシプロパン
からなる群より選択されることを特徴とする請求項１に記載の組成物。
【請求項４】
温度約３４．７℃において約１４．７ｐｓｉａ（１０１ｋＰａ）の蒸気圧を有する、４７．６重量パーセントの１，１，１，２，２，４，５，５，５−ノナフルオロ−４−（トリフルオロメチル）−３−ペンタノンおよび５２．４重量パーセントの１−（ジフルオロメトキシ）−１，１，２−トリフルオロエタン；
温度約４０．５℃において約１４．７ｐｓｉａ（１０１ｋＰａ）の蒸気圧を有する、６６．２重量パーセントの１，１，１，２，２，４，５，５，５−ノナフルオロ−４−（トリフルオロメチル）−３−ペンタノンおよび３３．８重量パーセントの１−（ジフルオロメトキシ）１，２，２−トリフルオロエタン；
温度約３６．２℃において約１４．７ｐｓｉａ（１０１ｋＰａ）の蒸気圧を有する、５２．４重量パーセントの１，１，１，２，２，４，５，５，５−ノナフルオロ−４−（トリフルオロメチル）−３−ペンタノンおよび４７．６重量パーセントの２−フルオロメトキシ−１，１，１，２−テトラフルオロエタン；
温度約２７．４℃において約１４．７ｐｓｉａ（１０１ｋＰａ）の蒸気圧を有する、５９．７重量パーセントの１，１，１，２，２，４，５，５，５−ノナフルオロ−４−（トリフルオロメチル）−３−ペンタノンおよび４０．３重量パーセントの１−メトキシ−１，１，２，２−テトラフルオロエタン；
温度約２９．９℃において約１４．７ｐｓｉａ（１０１ｋＰａ）の蒸気圧を有する、６３．６重量パーセントの１，１，１，２，２，４，５，５，５−ノナフルオロ−４−（トリフルオロメチル）−３−ペンタノンおよび３６．４重量パーセントの２−メトキシ−１，１，１，２−テトラフルオロエタン；
温度約３５．９℃において約１４．７ｐｓｉａ（１０１ｋＰａ）の蒸気圧を有する、７３．３重量パーセントの１，１，１，２，２，４，５，５，５−ノナフルオロ−４−（トリフルオロメチル）−３−ペンタノンおよび２６．７重量パーセントの１−ジフルオロメトキシ−２，２−ジフルオロエタン；
温度約３４．４℃において約１４．７ｐｓｉａ（１０１ｋＰａ）の蒸気圧を有する、７９．４重量パーセントの１，１，１，２，２，４，５，５，５−ノナフルオロ−４−（トリフルオロメチル）−３−ペンタノンおよび２０．６重量パーセントの２−メトキシ−１，１，２−トリフルオロエタン；
温度約３１．５℃において約１４．７ｐｓｉａ（１０１ｋＰａ）の蒸気圧を有する、７５．３重量パーセントの１，１，１，２，２，４，５，５，５−ノナフルオロ−４−（トリフルオロメチル）−３−ペンタノンおよび２４．７重量パーセントの１，１−ジフルオロ−２−メトキシエタン；
温度約３２．１℃において約１４．７ｐｓｉａ（１０１ｋＰａ）の蒸気圧を有する、３９．５重量パーセントの１，１，１，２，２，４，５，５，５−ノナフルオロ−４−（トリフルオロメチル）−３−ペンタノンおよび６０．５重量パーセントの１，１，１，２，２，３，３−ヘプタフルオロ−３−メトキシプロパン；
温度約３８．６℃において約１４．７ｐｓｉａ（１０１ｋＰａ）の蒸気圧を有する、５８．８重量パーセントの１，１，１，２，２，４，５，５，５−ノナフルオロ−４−（トリフルオロメチル）−３−ペンタノンおよび４１．２重量パーセントの１，１，２，２−テトラフルオロ−３−（トリフルオロメトキシ）プロパン；
温度約３８．２℃において約１４．７ｐｓｉａ（１０１ｋＰａ）の蒸気圧を有する、５７．８重量パーセントの１，１，１，２，２，４，５，５，５−ノナフルオロ−４−（トリフルオロメチル）−３−ペンタノンおよび４２．２重量パーセントの１−（２，２−ジフルオロエトキシ）−１，１，２，２，２−ペンタフルオロエタン；
温度約３８．４℃において約１４．７ｐｓｉａ（１０１ｋＰａ）の蒸気圧を有する、５８．５重量パーセントの１，１，１，２，２，４，５，５，５−ノナフルオロ−４−（トリフルオロメチル）−３−ペンタノンおよび４１．５重量パーセントの３−（ジフルオロメトキシ）−１，１，１，２，２−ペンタフルオロプロパン；
温度約４４．８℃において約１４．７ｐｓｉａ（１０１ｋＰａ）の蒸気圧を有する、７８．０重量パーセントの１，１，１，２，２，４，５，５，５−ノナフルオロ−４−（トリフルオロメチル）−３−ペンタノンおよび２２．０重量パーセントの１，１，１，３，３，３−ヘキサフルオロ−２−（フルオロメトキシ）プロパン；
温度約４７．６℃において約１４．７ｐｓｉａ（１０１ｋＰａ）の蒸気圧を有する、７８．６重量パーセントの１，１，１，２，２，４，５，５，５−ノナフルオロ−４−（トリフルオロメチル）−３−ペンタノンおよび２１．４重量パーセントの１，１，２−トリフルオロ−１−メトキシ−２−（トリフルオロメトキシ）エタン；
温度約３８．８℃において約１４．７ｐｓｉａ（１０１ｋＰａ）の蒸気圧を有する、７３．７重量パーセントの１，１，１，２，２，４，５，５，５−ノナフルオロ−４−（トリフルオロメチル）−３−ペンタノンおよび２６．３重量パーセントの１，１，１，２，３，３−ヘキサフルオロ−３−メトキシプロパン；
温度約４０．８℃において約１４．７ｐｓｉａ（１０１ｋＰａ）の蒸気圧を有する、７１．０重量パーセントの１，１，１，２，２，４，５，５，５−ノナフルオロ−４−（トリフルオロメチル）−３−ペンタノンおよび２９．０重量パーセントの１，１，１，３，３，３−ヘキサフルオロ−２−メトキシプロパン；
温度約４２．９℃において約１４．７ｐｓｉａ（１０１ｋＰａ）の蒸気圧を有する、８０．６重量パーセントの１，１，１，２，２，４，５，５，５−ノナフルオロ−４−（トリフルオロメチル）−３−ペンタノンおよび１９．４重量パーセントの１，１，２，２，３，３−ヘキサフルオロ−３−メトキシプロパン；
温度約４５．８℃において約１４．７ｐｓｉａ（１０１ｋＰａ）の蒸気圧を有する、８６．５重量パーセントの１，１，１，２，２，４，５，５，５−ノナフルオロ−４−（トリフルオロメチル）−３−ペンタノンおよび１３．５重量パーセントの１−（１，１，−ジフルオロエトキシ）−１，１，２，２−テトラフルオロエタン；
温度約４５．８℃において約１４．７ｐｓｉａ（ｋＰａ）の蒸気圧を有する、８３．４重量パーセントの１，１，１，２，２，４，５，５，５−ノナフルオロ−４−（トリフルオロメチル）−３−ペンタノンおよび１６．６重量パーセントの３−（ジフルオロメトキシ）−１，１，２，２−テトラフルオロプロパン；
温度約３８．５℃において約１４．７ｐｓｉａ（１０１ｋＰａ）の蒸気圧を有する、６９．０重量パーセントの１，１，１，２，２，４，５，５，５−ノナフルオロ−４−（トリフルオロメチル）−３−ペンタノンおよび３１．０重量パーセントの１，１，１，２，２−ペンタフルオロ−３−メトキシプロパン；
温度約４３．０℃において約１４．７ｐｓｉａ（１０１ｋＰａ）の蒸気圧を有する、７０．３重量パーセントの１，１，１，２，２，４，５，５，５−ノナフルオロ−４−（トリフルオロメチル）−３−ペンタノンおよび２９．７重量パーセントの２−（ジフルオロメトキシ）−１，１，１−トリフルオロプロパン；
温度約４１．０℃において約１４．７ｐｓｉａ（１０１ｋＰａ）の蒸気圧を有する、７９．６重量パーセントの１，１，１，２，２，４，５，５，５−ノナフルオロ−４−（トリフルオロメチル）−３−ペンタノンおよび２０．４重量パーセントの２−エトキシ−１，１，１，２−テトラフルオロエタン；
温度約約３９．２℃において約１４．７ｐｓｉａ（１０１ｋＰａ）の蒸気圧を有する、７３．４重量パーセントの１，１，１，２，２，４，５，５，５−ノナフルオロ−４−（トリフルオロメチル）−３−ペンタノンおよび２６．６重量パーセントの１，１，１−トリフルオロ−２−エトキシエタン；
温度約３９．０℃において約１４．７ｐｓｉａ（１０１ｋＰａ）の蒸気圧を有する、７８．３重量パーセントの１，１，１，２，２，４，５，５，５−ノナフルオロ−４−（トリフルオロメチル）−３−ペンタノンおよび２１．７重量パーセントの１，１，１−トリフルオロ−３−メトキシプロパン；
温度約３６．０℃において約１４．７ｐｓｉａ（１０１ｋＰａ）の蒸気圧を有する、７２．４重量パーセントの１，１，１，２，２，４，５，５，５−ノナフルオロ−４−（トリフルオロメチル）−３−ペンタノンおよび２７．６重量パーセントの１，１，１−トリフルオロ−２−メトキシプロパン；
温度約３４．５℃において約１４．７ｐｓｉａ（１０１ｋＰａ）の蒸気圧を有する、７６．０重量パーセントの１，１，１，２，２，４，５，５，５−ノナフルオロ−４−（トリフルオロメチル）−３−ペンタノンおよび２４．０重量パーセントの１−エトキシ−１，２，２−トリフルオロエタン；
温度約４０．７℃において約１４．７ｐｓｉａ（１０１ｋＰａ）の蒸気圧を有する、５８．０重量パーセントの１，１，１，２，２，４，５，５，５−ノナフルオロ−４−（トリフルオロメチル）−３−ペンタノンおよび４２．０重量パーセントの２−エトキシ−１，１，１，２，３，３，３−ヘプタフルオロプロパン；
温度約４３．４℃において約１４．７ｐｓｉａ（１０１ｋＰａ）蒸気圧を有する、６８．９重量パーセントの１，１，１，２，２，４，５，５，５−ノナフルオロ−４−（トリフルオロメチル）−３−ペンタノンおよび３１．１重量パーセントの３−エトキシ−１，１，１，２，２，３，３−ヘプタフルオロプロパン；
温度約３９．９℃において約１４．７ｐｓｉａ（１０１ｋＰａ）の蒸気圧を有する、７４．８重量パーセントの１，１，１，２，２，４，５，５，５−ノナフルオロ−４−（トリフルオロメチル）−３−ペンタノンおよび２５．２重量パーセントの１−エトキシ−１，１，２，２−テトラフルオロエタン；
温度約４５．２℃において約１４．７ｐｓｉａ（１０１ｋＰａ）の蒸気圧を有する、７７．０重量パーセントの１，１，１，２，２，４，５，５，５−ノナフルオロ−４−（トリフルオロメチル）−３−ペンタノンおよび２３．０重量パーセントのＣ４Ｆ９ＯＣＨ３；
温度約４８．９℃において約１４．７ｐｓｉａ（１０１ｋＰａ）の蒸気圧を有する、９６．６重量パーセントの１，１，１，２，２，４，５，５，５−ノナフルオロ−４−（トリフルオロメチル）−３−ペンタノンおよび３．４重量パーセントのＣ４Ｆ９ＯＣ２Ｈ５；
温度約４４．８℃において約１４．７ｐｓｉａ（１０１ｋＰａ）の蒸気圧を有する、８５．３重量パーセントの１，１，１，２，２，４，５，５，５−ノナフルオロ−４−（トリフルオロメチル）−３−ペンタノンおよび１４．７重量パーセントの１−（１，１，２，２−テトラフルオロエトキシ）プロパン；ならびに
温度約４１．３℃において約１４．７ｐｓｉａ（１０１ｋＰａ）の蒸気圧を有する、７８．８重量パーセントの１，１，１，２，２，４，５，５，５−ノナフルオロ−４−（トリフルオロメチル）−３−ペンタノンおよび２１．２重量パーセントの２，３−ジフルオロ−４−（トリフルオロメチル）オキセタン
からなる群より選択されることを特徴とする組成物。
【請求項５】
冷凍を発生させるための方法であって、前記方法が、冷却されるべき物体の近傍において請求項１、２、３、または４に記載の組成物を蒸発させる工程、および、その後に前記組成物を凝縮させる工程を含むことを特徴とする冷凍を発生させるための方法。
【請求項６】
熱を発生させるための方法であって、前記方法が、加熱されるべき物体の近傍において請求項１、２、３、または４に記載の組成物を凝縮させる工程、および、その後に前記組成物を蒸発させる工程を含むことを特徴とする熱を発生させるための方法。
【請求項７】
熱を伝達させるための方法であって、前記方法が、請求項１、２、３、または４に記載の組成物を、ヒートソースからヒートシンクへと輸送させる工程を含むことを特徴とする熱を伝達させるための方法。
【請求項８】
ナフタルイミド類、ペリレン類、クマリン類、アントラセン類、フェナントラセン類、キサンテン類、チオキサンテン類、ナフトキサンテン類、フルオレセイン類、前記染料の誘導体、およびそれらの組合せからなる群より選択される少なくとも１種の紫外線蛍光染料をさらに含むことを特徴とする請求項１、２、３または４に記載の組成物。
【請求項９】
炭化水素類、ジメチルエーテル、ポリオキシアルキレングリコールエーテル類、アミド類、ケトン類、ニトリル類、クロロカーボン類、エステル類、ラクトン類、アリールエーテル類、ヒドロフルオロエーテル類、および１，１，１−トリフルオロアルカン類からなる群より選択される少なくとも１種の可溶化剤をさらに含み、冷媒と可溶化剤が同一の化合物ではないことを特徴とする請求項８に記載の組成物。
【請求項１０】
前記可溶化剤が：
ａ）式Ｒ１［（ＯＲ２）ｘＯＲ３］ｙで表されるポリオキシアルキレングリコールエーテル類（ｘは、１〜３の整数であり；ｙは、１〜４の整数であり；Ｒ１は、水素および１〜６個の炭素原子とｙ個の結合サイトを有する脂肪族炭化水素基から選択され；Ｒ２は、２〜４個の炭素原子を有する脂肪族ヒドロカルビレン基から選択され；Ｒ３は、水素ならびに、１〜６個の炭素原子を有する脂肪族および脂環式炭化水素基から選択され；Ｒ１とＲ３との内の少なくとも一つは、前記炭化水素基から選択され；および前記ポリオキシアルキレングリコールエーテル類は、約１００〜約３００原子質量単位の分子量を有する）；
ｂ）式Ｒ１Ｃ（Ｏ）ＮＲ２Ｒ３およびシクロ−［Ｒ４ＣＯＮ（Ｒ５）−］で表されるアミド類（Ｒ１、Ｒ２、Ｒ３およびＲ５は１〜１２個の炭素原子を有する脂肪族および脂環式炭化水素基および６〜１２個の炭素原子を有する多くとも１個の芳香族基から独立して選択され；Ｒ４は、３〜１２個の炭素原子を有する脂肪族ヒドロカルビレン基から選択され；前記アミド類は、約１００〜約３００原子質量単位の分子量を有する）；
ｃ）式Ｒ１Ｃ（Ｏ）Ｒ２で表されるケトン類（Ｒ１およびＲ２は、１〜１２個の炭素原子を有する脂肪族、脂環式およびアリール炭化水素基から独立して選択され、前記ケトン類は、約７０〜約３００原子質量単位の分子量を有する）；
ｄ）式Ｒ１ＣＮで表されるニトリル類（Ｒ１は、５〜１２個の炭素原子を有する脂肪族、脂環式またはアリール炭化水素基から選択され、前記ニトリル類は、約９０〜約２００原子質量単位の分子量を有する）；
ｅ）式ＲＣｌｘで表されるクロロカーボン類（ｘは１または２であり；Ｒは、１〜１２個の炭素原子を有する脂肪族および脂環式炭化水素基から選択され；前記クロロカーボン類は、約１００〜約２００原子質量単位の分子量を有する）；
ｆ）式Ｒ１ＯＲ２で表されるアリールエーテル類（Ｒ１は、６〜１２個の炭素原子を有するアリール炭化水素基から選択され；Ｒ２は、１〜４個の炭素原子を有する脂肪族炭化水素基から選択され；前記アリールエーテル類は、約１００〜約１５０原子質量単位の分子量を有する）；
ｇ）式ＣＦ３Ｒ１で表される１，１，１−トリフルオロアルカン類（Ｒ１は、約５〜約１５個の炭素原子を有する脂肪族および脂環式炭化水素基から選択される）；
ｉ）式Ｒ１ＯＣＦ２ＣＦ２Ｈで表されるフルオロエーテル類（Ｒ１は、約５〜約１５個の炭素原子を有する脂肪族および脂環式炭化水素基から選択されるか；または前記フルオロエーテル類がフルオロオレフィン類およびポリオール類から誘導され、前記フルオロオレフィン類は、ＣＦ２＝ＣＸＹタイプ（Ｘは、水素、塩素またはフッ素であり、そしてＹは、塩素、フッ素、ＣＦ３またはＯＲｆであり、Ｒｆは、ＣＦ３、Ｃ２Ｆ５、またはＣ３Ｆ７である）のものであり；そして前記ポリオール類は、ＨＯＣＨ２ＣＲＲ’（ＣＨ２）ｚ（ＣＨＯＨ）ｘＣＨ２（ＣＨ２ＯＨ）ｙタイプ（ＲおよびＲ’は水素、ＣＨ３またはＣ２Ｈ５であり、ｘは、０〜４の整数であり、ｙは０〜３の整数であり、そしてｚは０または１のいずれかである）のものである）；および
ｊ）構造式［Ｂ］、［Ｃ］、および［Ｄ］で表されるラクトン類
【化１】
2008500436.tif 000021
（Ｒ１〜Ｒ８は、水素、線状、分枝状、環状、２環式、飽和および不飽和のヒドロカルビル基から独立して選択され；そしてその分子量は約１００〜約３００原子質量単位である）；および
ｋ）一般式Ｒ１ＣＯ２Ｒ２で表されるエステル類（Ｒ１およびＲ２は、線状および環状、飽和および不飽和の、アルキルおよびアリール基から独立して選択され；前記エステル類は約８０〜約５５０原子質量単位の分子量を有する）
からなる群より選択されることを特徴とする請求項９に記載の組成物。
【請求項１１】
圧縮冷凍装置または空気調節装置中の請求項８または９に記載の組成物を検出するための方法であって、前記方法が、前記組成物を前記装置に提供する工程、および前記装置の漏洩ポイントまたは近傍に、前記組成物を検出するための適切な手段を提供する工程を含むことを特徴とする方法。
【請求項１２】
冷凍を発生させるための方法であって、前記方法が、冷却されるべき物体の近傍において請求項８または９に記載の組成物を蒸発させる工程、およびその後に、前記組成物を凝縮させる工程を含むことを特徴とする方法。
【請求項１３】
熱を発生させるための方法であって、前記方法が、加熱されるべき物体の近傍において請求項８または９に記載の組成物を凝縮させる工程、およびその後に、前記組成物を蒸発させる工程を含むことを特徴とする方法。
【請求項１４】
安定剤、水捕捉剤、または臭気マスキング剤をさらに含むことを特徴とする請求項１または９に記載の組成物。
【請求項１５】
前記安定剤が、ニトロメタン、ヒンダードフェノール類、ヒドロキシルアミン類、チオール類、ホスファイト類およびラクトン類からなる群より選択されることを特徴とする請求項１５に記載の組成物。
【請求項１６】
請求項２または３に記載の組成物を使用する方法であって、前記方法が、多段遠心圧縮機を用いて、冷凍装置または空気調節装置中で熱または冷凍を発生させる工程を含むことを特徴とする方法。
【請求項１７】
前記多段遠心圧縮機が二段遠心圧縮機であることを特徴とする請求項１６に記載の方法。
【請求項１８】
前記水捕捉剤がオルトエステルであることを特徴とする請求項１４に記載の組成物。
【発明の詳細な説明】
【技術分野】
【０００１】
本発明は、遠心圧縮機を使用する冷凍および空気調節システムを含めて、１，１，１，２，２，４，５，５，５−ノナフルオロ−４−（トリフルオロメチル）−３−ペンタノンおよび少なくとも１種のフルオロエーテルを含む伝熱冷凍および空気調節システムに使用するための組成物に関する。本発明の組成物は、共沸性または近共沸性（ｎｅａｒ  ａｚｅｏｔｒｏｐｉｃ）であってよい。
【０００２】
（関連出願の相互参照）
本出願は、米国特許仮出願第６０／５７５，０３７号（出願日：２００４年５月２６日）、および米国特許仮出願第６０／５８４，７８５号（出願日：２００４年６月２９日）の優先権を主張するものであり、それぞれを、参照により本明細書に援用する。
【背景技術】
【０００３】
冷凍産業界ではこの数十年の間、モントリオール議定書の結果として撤廃される、オゾン層破壊性のクロロフルオロカーボン（ＣＦＣ）およびヒドロクロロフルオロカーボン（ＨＣＦＣ）のための代替え用冷媒を発見するための努力が積み重ねられてきた。ほとんどの冷媒製造業者にとっての解決策は、ヒドロフルオロカーボン（ＨＦＣ）冷媒の商業化であった。現在最も広く使用されている新規なＨＦＣ冷媒の、ＨＦＣ−１３４ａは、オゾン層破壊係数がゼロであるので、そのためモントリオール議定書の結果としての、現時点で規制される撤廃の影響は受けない。
【０００４】
さらに、環境規制が究極的には、ある種のＨＦＣ冷媒を全地球的に撤廃させようとする可能性がある。現在、自動車産業は、自動車の空気調節に使用される冷媒についての地球温暖化係数に関わる規制に直面している。したがって、自動車用空気調節市場のための、低い地球温暖化係数を有する新規な冷媒を見定めることが、現時点では極めて必要とされている。もし将来においてより広汎な規制が適用されるとすると、冷凍および空気調節産業のすべての領域において、使用可能な冷媒についての必要性がさらに一段と感じられることとなろう。
【０００５】
ＨＦＣ−１３４ａの代替え用冷媒として現在提案されているものとしては、ＨＦＣ−１５２ａ、純粋な炭化水素たとえばブタンもしくはプロパン、または「天然の」冷媒たとえばＣＯ２もしくはアンモニアが挙げられる。これら提案されている代替物の多くは、毒性があったり、可燃性があったり、および／またはエネルギー効率が低い。したがって、新規な代替物が絶えず求められている。
【０００６】
【特許文献１】米国特許出願第１０／９１０，４９５号明細書
【特許文献２】米国再発行特許第ＲＥ３６，９５１号明細書
【特許文献３】米国特許第５，０６５，９９０号明細書
【発明の開示】
【発明が解決しようとする課題】
【０００７】
本発明は、オゾン層破壊係数が低いかゼロであり、地球温暖化係数がより低い、という要求に適合するような特性を与える組成物を提供し、それには冷媒組成物および伝熱流体も含まれる。
【課題を解決するための手段】
【０００８】
本発明は、以下のものからなる群より選択される、冷媒または伝熱流体組成物を含む、組成物に関する：
１，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび１−エトキシ−１，１，２，２−テトラフルオロエタン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；ならびに
１，１，１，２，２，４，５，５，５−ノナフルオロ−４−（トリフルオロメチル）−３−ペンタノンおよび１，１，１，２，２，３，３−ヘプタフルオロ−３−メトキシプロパン。
【０００９】
上に列記した化合物は、遠心圧縮機、二段遠心圧縮機および／またはシングルスラブ／シングルパス（ｓｉｎｇｌｅ  ｓｌａｂ／ｓｉｎｇｌｅ  ｐａｓｓ）熱交換器を用いた冷凍、伝熱もしくは空気調節システムにおいて使用することができる。
【００１０】
本発明はさらに、本発明の組成物を使用して、冷凍の発生、熱の発生、およびヒートソースからヒートシンクへの熱伝達をさせるための方法に関する。
【発明を実施するための最良の形態】
【００１１】
本出願人らはとりわけ、すべての引用文献の全内容を本開示の中に援用したものとする。さらに、量、濃度、または、その他の数値もしくはパラメーターが、範囲、好ましい範囲、または好ましい上限値もしくは好ましい下限値のリストのいずれかとして与えられている場合、上限値もしくは好ましい数値と下限値もしくは好ましい数値の各種組合せから形成されるすべての範囲が、（それらの範囲が別々に開示されているかどうかに関わらず）、具体的に開示されているものと理解すべきである。本明細書において数値で範囲が記されている場合には、特に断りがない限り、その範囲には、その範囲の終端、ならびにその範囲の中のすべての整数および分数も含めるものとする。範囲を定義した場合には、引用した特定の数値に本発明の範囲が限定されるものではない。
【００１２】
本発明の組成物には、１，１，１，２，２，４，５，５，５−ノナフルオロ−４−（トリフルオロメチル）−３−ペンタノン（ＰＥＩＫ）および少なくとも１種のフルオロエーテルが含まれる。
【００１３】
本発明のフルオロエーテル類には、水素、フッ素、炭素および少なくとも１個のエーテル基酸素が含まれる。そのフルオロエーテル類は、式Ｒ１ＯＲ２として表すことができ、Ｒ１およびＲ２は、線状または分枝状の脂肪族フルオロ化炭化水素基から独立して選択される。Ｒ１とＲ２が一緒になって、環状のフルオロエーテル環を形成していてもよい。そのフルオロエーテル類には、約２〜８個の炭素原子が含まれていてよい。好適なフルオロエーテル類は、３〜６個の炭素原子を有する。代表的なフルオロエーテル類を表１に列記する。本発明の組成物の成分となりうる代表的な化合物を表１に列記する。
【００１４】
【表１】
2008500436.tif 000002
【００１５】
【表２】
2008500436.tif 000003
【００１６】
表１に列記した化合物は、市販品として入手可能であるか、または従来技術で公知の方法により調製することができる。Ｃ４Ｆ９ＯＣＨ３およびＣ４Ｆ９ＯＣ２Ｈ５はいずれも表１に示したように異性体の混合物であり、スリーエム（３Ｍ）（商標）（ミネソタ州セント・ポール（Ｓｔ．Ｐａｕｌ，Ｍｉｎｎｅｓｏｔａ））から市販されている。１，１，１，２，２，４，５，５，５−ノナフルオロ−４−（トリフルオロメチル）−３−ペンタノン（ＰＥＩＫ）もまた、スリーエム（３Ｍ）（商標）（ミネソタ州セント・ポール（Ｓｔ．Ｐａｕｌ，Ｍｉｎｎｅｓｏｔａ））から市販されている。
【００１７】
本発明の組成物は、低いかまたはゼロのオゾン層破壊係数と、低い地球温暖化係数を有している。たとえば、フルオロエーテル類およびＰＥＩＫは、単独であっても組み合わせても、現在使用されている多くのＨＦＣ冷媒よりも、低い地球温暖化係数を有するであろう。
【００１８】
本発明の組成物は、所望の量の各種成分を組み合わせる各種好都合な方法により、調製することが可能である。好適な方法では、所望の量の成分を秤量してから、それらの成分を適切な容器の中で組み合わせる。所望により、撹拌を用いてもよい。
【００１９】
本発明の冷媒または伝熱組成物には、ＰＥＩＫと組み合わせて、以下のものからなる群より選択される少なくとも１種のフルオロエーテルが含まれる：
１−（ジフルオロメトキシ）−１，１，２−トリフルオロエタン；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（トリフルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
１−（１，１，−ジフルオロエトキシ）−１，１，２，２−テトラフルオロエタン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
１，１，１，２，３，３−ヘキサフルオロ−３−（ペンタフルオロエトキシ）プロパン；
２−エトキシ−１，１，１，２，３，３，３−ヘプタフルオロプロパン：
３−エトキシ−１，１，１，２，２，３，３−ヘプタフルオロプロパン；
１−（１，１，２，２−テトラフルオロエトキシ）プロパン；
２，３−ジフルオロ−４−（トリフルオロメチル）オキセタン；
Ｃ４Ｆ９ＯＣＨ３；
Ｃ４Ｆ９ＯＣ２Ｈ５；
１，１，１，２，２，３，３−ヘプタフルオロ−３−メトキシプロパン；
１−エトキシ−１，１，２，２−テトラフルオロエタン；および
それらの組合せ。
【００２０】
本発明の冷媒または伝熱組成物は、共沸組成物であっても、あるいは近共沸組成物であってもよい。「共沸組成物」という用語は、あたかも単一の物質であるかのような挙動をする、２種以上の物質の定沸点混合物を意味する。共沸組成物の特徴の一つは、液体の部分蒸発または蒸留により生成する蒸気が、それが蒸発または蒸留された液体と同一の組成を有することであって、これはすなわち、その混合物が組成的な変化なしで、蒸留または環流されるということである。定沸点組成物は、同一の化合物の非共沸性混合物の場合に比較して、それらが最高または最低沸点を示すことから、共沸性であるという特徴を有している。共沸組成物は、運転中に冷凍システムまたは空気調節システム中で、系の効率を低下させる可能性のある分留を受けることがない。さらに、共沸組成物は、冷凍システムまたは空気調節システムからの漏れがあっても、分留されない。混合物の中の一つの成分が可燃性であるような場合には、漏洩の際に分留が起きると、系内または系外のいずれかが可燃性の組成となってしまう可能性がある。
【００２１】
近共沸組成物（一般に「共沸様（ａｚｅｏｔｒｏｐｉｃ−ｌｉｋｅ）組成物と呼ばれることもある）は、実質的に単一の物質として挙動する、２種またはそれ以上の物質の、実質的に定沸点の液状混合物である。近共沸組成物の特徴の一つは、液体の部分蒸発または蒸留により生成する蒸気が、それが蒸発または蒸留された液体と実質的に同一の組成を有することであって、これはすなわち、その混合物が実質的に組成的変化なしで、蒸留または環流されるということである。近共沸組成物のまた別な特徴は、特定の温度におけるその組成物の泡立ち点蒸気圧と露点蒸気圧とが、実質的に同じであるという点にある。本明細書においては、ある組成物の５０重量パーセントをたとえば蒸発または沸騰により除去した後で、最初の組成物と、最初の組成物の５０重量パーセントを除去した後に残る組成物との間の蒸気圧の差が、約１０パーセント未満であれば、その組成物は近共沸性であるとする。
【００２２】
本発明の共沸組成物（冷媒組成物および伝熱流体を含む）を表２に列記する。
【００２３】
【表３】
2008500436.tif 000004
【００２４】
本発明の近共沸性の冷媒組成物および伝熱流体および濃度範囲を表３に列記する。
【００２５】
【表４】
2008500436.tif 000005
【００２６】
表１に列記したものからのさらなる化合物を本発明の二成分系組成物に添加して、三成分またはより高次の組成物とすることも可能である。
【００２７】
本発明の組成物にはさらに、約０．０１重量パーセント〜約５重量パーセントの添加剤、たとえば安定剤、フリーラジカル捕捉剤および／または抗酸化剤が含まれていてもよい。そのような添加剤としては、ニトロメタン、ヒンダードフェノール類、ヒドロキシルアミン類、チオール類、ホスファイト類、またはラクトン類などが挙げられるが、これらに限定される訳ではない。単一の添加剤を使用しても、組み合わせて使用してよい。
【００２８】
本発明の組成物にはさらに、約０．０１重量パーセント〜約５重量パーセントの水捕捉剤（乾燥化合物）が含まれていてもよい。そのような水捕捉剤としては、オルトエステルたとえば、オルトギ酸トリメチル、オルトギ酸トリエチル、またはオルトギ酸トリプロピルなどが挙げられる。
【００２９】
本発明の組成物にはさらに、紫外線（ＵＶ）染料および場合によっては可溶化剤が含まれていてもよい。そのＵＶ染料は、冷媒組成物または伝熱流体の漏洩を検知するには有用な成分であって、それによって、漏洩点、または冷凍もしくは空気調節設備の近傍における、冷媒または伝熱流体組成物の中の染料の蛍光を観察することが可能となる。紫外光線の下で、その染料の蛍光を見ることができる。いくつかの冷媒および伝熱流体においては、そのようなＵＶ染料の溶解性が乏しいために、可溶化剤が必要となることがある。
【００３０】
「紫外線」染料という用語は、電磁スペクトルの紫外領域または近紫外領域において光を吸収する、ＵＶ蛍光組成物を意味する。１０ナノメートル〜７５０ナノメートルのどこかの波長を用いて照射するＵＶ光による照明下で、そのＵＶ蛍光染料により発生する蛍光を検出することができる。したがって、そのようなＵＶ蛍光染料を含む冷媒または伝熱流体が冷凍装置または空気調節装置のある点で漏洩したとすると、その蛍光をその漏洩点で検出することができる。そのようなＵＶ蛍光染料としては、ナフタルイミド類、ペリレン類、クマリン類、アントラセン類、フェナントラセン類、キサンテン類、チオキサンテン類、ナフトキサンテン類、フルオレセイン類、およびそれらの誘導体または組合せなどが挙げられるが、これらに限定される訳ではない。本発明の可溶化剤には、炭化水素類、炭化水素エーテル類、ポリオキシアルキレングリコールエーテル類、アミド類、ニトリル類、ケトン類、クロロカーボン類、エステル類、ラクトン類、アリールエーテル類、フルオロエーテル類および１，１，１−トリフルオロアルカン類からなる群より選択される少なくとも１種の化合物が含まれる。
【００３１】
本発明の炭化水素可溶化剤としては、５個以下の炭素原子および１個の水素で他の官能基を含まない線状、分枝状または環状のアルカンまたはアルケンを含む炭化水素が挙げられる。代表的な炭化水素可溶化剤としては、プロパン、プロピレン、シクロプロパン、ｎ−ブタン、イソブタン、およびｎ−ペンタンが挙げられる。冷媒または伝熱流体が炭化水素である場合には、その可溶化剤は同一の炭化水素であってはならないことに注意されたい。
【００３２】
本発明の炭化水素エーテル可溶化剤としては、炭素、水素および酸素のみを含むエーテル、たとえばジメチルエーテル（ＤＭＥ）を挙げることができる。
【００３３】
本発明のポリオキシアルキレングリコールエーテル可溶化剤としては、式Ｒ１［（ＯＲ２）ｘＯＲ３］ｙで表されるものが挙げられるが、ｘは、１〜３の整数であり；ｙは、１〜４の整数であり；Ｒ１は、水素および１〜６個の炭素原子とｙ個の結合サイトを有する脂肪族炭化水素基から選択され；Ｒ２は、２〜４個の炭素原子を有する脂肪族ヒドロカルビレン基から選択され；Ｒ３は、水素ならびに、１〜６個の炭素原子を有する脂肪族および脂環式炭化水素基から選択され；Ｒ１とＲ３との内の少なくとも一つは、前記炭化水素基であり；および前記ポリオキシアルキレングリコールエーテル類は、約１００〜約３００原子質量単位の分子量を有する。本明細書で使用するとき、「結合サイト」という用語は、他の基と共有結合を形成するのに使用可能な基サイトを意味する。ヒドロカルビレン基は、２価の炭化水素基を意味する。本発明においては、好適なポリオキシアルキレングリコールエーテル可溶化剤はＲ１［（ＯＲ２）ｘＯＲ３］ｙで表され、ｘは、好ましくは１〜２であり；ｙは、好ましくは１であり；Ｒ１およびＲ３は好ましくは独立して、水素および１〜４個の炭素原子を有する脂肪族炭化水素基から選択され；Ｒ２は、好ましくは２または３個の炭素原子、最も好ましくは３個の炭素原子を有する脂肪族ヒドロカルビレン基から選択され；そのポリオキシアルキレングリコールエーテルの分子量は、好ましくは約１００〜約２５０原子質量単位、最も好ましくは約１２５〜約２５０原子質量単位である。１〜６個の炭素原子を有するＲ１およびＲ３炭化水素基は、線状、分枝状または環状であってよい。代表的なＲ１およびＲ３炭化水素基としては、メチル、エチル、プロピル、イソプロピル、ブチル、イソブチル、ｓｅｃ−ブチル、ｔｅｒｔ−ブチル、ペンチル、イソペンチル、ネオペンチル、ｔｅｒｔ−ペンチル、シクロペンチル、およびシクロヘキシルなどが挙げられる。本発明のポリオキシアルキレングリコールエーテル可溶化剤の上の遊離のヒドロキシル基がある種の圧縮冷凍装置の構成材料（たとえば、マイラー（Ｍｙｌａｒ）（登録商標））に対して不適合であるような場合には、Ｒ１およびＲ３は１〜４個の炭素原子、最も好ましくは１個の炭素原子を有する脂肪族炭化水素基であるのが好ましい。２〜４個の炭素原子を有するＲ２の脂肪族ヒドロカルビレン基は、繰り返しオキシアルキレン基、−（ＯＲ２）ｘ−を形成するが、そのようなものとしては、オキシエチレン基、オキシプロピレン基、およびオキシブチレン基が挙げられる。一つのポリオキシアルキレングリコールエーテル可溶化剤分子の中のＲ２を含むオキシアルキレン基は、同一であってもよいし、あるいは、一つの分子に、異なったＲ２オキシアルキレン基が含まれていてもよい。本発明のポリオキシアルキレングリコールエーテル可溶化剤には、少なくとも１個のオキシプロピレン基が含まれているのが好ましい。Ｒ１が、１〜６個の炭素原子およびｙ個の結合サイトを有する脂肪族または脂環式炭化水素基である場合には、その基は、線状、分枝状、または環状にいずれであってもよい。２個の結合サイトを有する代表的なＲ１脂肪族炭化水素基としては、たとえば、エチレン基、プロピレン基、ブチレン基、ペンチレン基、ヘキシレン基、シクロペンチレン基およびシクロヘキシレン基などが挙げられる。３個または４個の結合サイトを有する代表的なＲ１脂肪族炭化水素基としては、ポリアルコール、たとえば、トリメチロールプロパン、グリセリン、ペンタエリスリトール、１，２，３−トリヒドロキシシクロヘキサンおよび１，３，５−トリヒドロキシシクロヘキサンから、それらのヒドロキシル基を除いて誘導される残基が挙げられる。
【００３４】
代表的なポリオキシアルキレングリコールエーテル可溶化剤の例を挙げれば（これらに限定される訳ではない）：ＣＨ３ＯＣＨ２ＣＨ（ＣＨ３）Ｏ（ＨまたはＣＨ３）（プロピレングリコールメチル（またはジメチル）エーテル）、ＣＨ３Ｏ［ＣＨ２ＣＨ（ＣＨ３）Ｏ］２（ＨまたはＣＨ３）（ジプロピレングリコールメチル（またはジメチル）エーテル）、ＣＨ３Ｏ［ＣＨ２ＣＨ（ＣＨ３）Ｏ］３（ＨまたはＣＨ３）（トリプロピレングリコールメチル（またはジメチル）エーテル）、Ｃ２Ｈ５ＯＣＨ２ＣＨ（ＣＨ３）Ｏ（ＨまたはＣ２Ｈ５）（プロピレングリコールエチル（またはジエチル）エーテル）、Ｃ２Ｈ５Ｏ［ＣＨ２ＣＨ（ＣＨ３）Ｏ］２（ＨまたはＣ２Ｈ５）（ジプロピレングリコールエチル（またはジエチル）エーテル）、Ｃ２Ｈ５Ｏ［ＣＨ２ＣＨ（ＣＨ３）Ｏ］３（ＨまたはＣ２Ｈ５）（トリプロピレングリコールエチル（またはジエチル）エーテル）、Ｃ３Ｈ７ＯＣＨ２ＣＨ（ＣＨ３）Ｏ（ＨまたはＣ３Ｈ７）（プロピレングリコールｎ−プロピル（またはジ−ｎ−プロピル）エーテル）、Ｃ３Ｈ７Ｏ［ＣＨ２ＣＨ（ＣＨ３）Ｏ］２（ＨまたはＣ３Ｈ７）（ジプロピレングリコールｎ−プロピル（またはジ−ｎ−プロピル）エーテル）、Ｃ３Ｈ７Ｏ［ＣＨ２ＣＨ（ＣＨ３）Ｏ］３（ＨまたはＣ３Ｈ７）（トリプロピレングリコールｎ−プロピル（またはジ−ｎ−プロピル）エーテル）、Ｃ４Ｈ９ＯＣＨ２ＣＨ（ＣＨ３）ＯＨ（プロピレングリコールｎ−ブチルエーテル）、Ｃ４Ｈ９Ｏ［ＣＨ２ＣＨ（ＣＨ３）Ｏ］２（ＨまたはＣ４Ｈ９）（ジプロピレングリコールｎ−ブチル（またはジ−ｎ−ブチル）エーテル）、Ｃ４Ｈ９Ｏ［ＣＨ２ＣＨ（ＣＨ３）Ｏ］３（ＨまたはＣ４Ｈ９）（トリプロピレングリコールｎ−ブチル（またはジ−ｎ−ブチル）エーテル）、（ＣＨ３）３ＣＯＣＨ２ＣＨ（ＣＨ３）ＯＨ（プロピレングリコールｔ−ブチルエーテル）、（ＣＨ３）３ＣＯ［ＣＨ２ＣＨ（ＣＨ３）Ｏ］２（Ｈまたは（ＣＨ３）３）（ジプロピレングリコールｔ−ブチル（またはジ−ｔ−ブチル）エーテル）、（ＣＨ３）３ＣＯ［ＣＨ２ＣＨ（ＣＨ３）Ｏ］３（Ｈまたは（ＣＨ３）３）（トリプロピレングリコールｔ−ブチル（またはジ−ｔ−ブチル）エーテル）、Ｃ５Ｈ１１ＯＣＨ２ＣＨ（ＣＨ３）ＯＨ（プロピレングリコールｎ−ペンチルエーテル）、Ｃ４Ｈ９ＯＣＨ２ＣＨ（Ｃ２Ｈ５）ＯＨ（ブチレングリコールｎ−ブチルエーテル）、Ｃ４Ｈ９Ｏ［ＣＨ２ＣＨ（Ｃ２Ｈ５）Ｏ］２Ｈ（ジブチレングリコールｎ−ブチルエーテル）、トリメチロールプロパントリ−ｎ−ブチルエーテル（Ｃ２Ｈ５Ｃ（ＣＨ２Ｏ（ＣＨ２）３ＣＨ３）３）、およびトリメチロールプロパンジ−ｎ−ブチルエーテル（Ｃ２Ｈ５Ｃ（ＣＨ２ＯＣ（ＣＨ２）３ＣＨ３）２ＣＨ２ＯＨ）。
【００３５】
本発明のアミド可溶化剤には、式Ｒ１Ｃ（Ｏ）ＮＲ２Ｒ３およびシクロ−［Ｒ４Ｃ（Ｏ）Ｎ（Ｒ５）］により表されるものが含まれるが、Ｒ１、Ｒ２、Ｒ３およびＲ５は、１〜１２個の炭素原子を有する脂肪族および脂環式炭化水素基から独立して選択され；Ｒ４は、３〜１２個の炭素原子を有する脂肪族ヒドロカルビレン基から選択され；前記アミド類は、約１００〜約３００原子質量単位の分子量を有している。前記アミド類の分子量が約１６０〜約２５０原子質量単位であれば好ましい。Ｒ１、Ｒ２、Ｒ３およびＲ５には、場合によっては、置換された炭化水素基、すなわち、ハロゲン（たとえば、フッ素、塩素）およびアルコキシド（たとえば、メトキシ）から選択される非炭化水素置換基を含む基が含まれていてもよい。Ｒ１、Ｒ２、Ｒ３およびＲ５には、場合によっては、ヘテロ原子−置換の炭化水素基、すなわち、その他は炭素原子からなる基鎖の中に、原子の窒素（アザ−）、酸素（オキサ−）または硫黄（チア−）を含む基が含まれていてもよい。一般的に、Ｒ１〜３中の１０個の炭素原子あたりに、３個以下の非炭化水素置換基およびヘテロ原子、好ましくは１個以下のそれらが存在し、そしていずれかそのような非炭化水素置換基およびヘテロ原子の存在は、上述の分子量の制限に適用されると考えなければいけない。好適なアミド可溶化剤は、炭素、水素、窒素および酸素からなる。代表的なＲ１、Ｒ２、Ｒ３およびＲ５の脂肪族および脂環式炭化水素基としては、メチル、エチル、プロピル、イソプロピル、ブチル、イソブチル、ｓｅｃ−ブチル、ｔｅｒｔ−ブチル、ペンチル、イソペンチル、ネオペンチル、ｔｅｒｔ−ペンチル、シクロペンチル、シクロヘキシル、ヘプチル、オクチル、ノニル、デシル、ウンデシル、ドデシルおよびそれらの立体配置的異性体などが挙げられる。アミド可溶化剤の好ましい実施態様は、上述の式シクロ−［Ｒ４Ｃ（Ｏ）Ｎ（Ｒ５）−］におけるＲ４がヒドロカルビレン基（ＣＲ６Ｒ７）ｎ、言い方を変えれば、式：シクロ−［（ＣＲ６Ｒ７）ｎＣ（Ｏ）Ｎ（Ｒ５）−］によって表されるものであって、ここで、先に述べた分子量の数値が適用され；ｎは、３〜５の整数であり；Ｒ５は、１〜１２個の炭素原子を含む飽和炭化水素基であり；Ｒ６およびＲ７は独立して、先にＲ１〜３を定義したときのルールによって（それぞれのｎに対して）選択される。式：シクロ−［（ＣＲ６Ｒ７）ｎＣ（Ｏ）Ｎ（Ｒ５）−］で表されるラクタムにおいては、Ｒ６とＲ７がすべて好ましくは水素であるか、またはｎ個のメチレン単位の間に単一の飽和炭化水素基を含み、そしてＲ５は、３〜１２個の炭素原子を含む飽和炭化水素基である。たとえば、１−（飽和炭化水素基）−５−メチルピロリジン−２−オンである。
【００３６】
代表的なアミド可溶化剤としては以下のようなものが挙げられる（これらに限定される訳ではない）：１−オクチルピロリジン−２−オン、１−デシルピロリジン−２−オン、１−オクチル−５−メチルピロリジン−２−オン、１−ブチルカプロラクタム、１−シクロヘキシルピロリジン−２−オン、１−ブチル−５−メチルピペリド−２−オン、１−ペンチル−５−メチルピペリド−２−オン、１−ヘキシルカプロラクタム、１−ヘキシル−５−メチルピロリジン−２−オン、５−メチル−１−ペンチルピペリド−２−オン、１，３−ジメチルピペリド−２−オン、１−メチルカプロラクタム、１−ブチル−ピロリジン−２−オン、１，５−ジメチルピペリド−２−オン、１−デシル−５−メチルピロリジン−２−オン、１−ドデシルピロリド−２−オン、Ｎ，Ｎ−ジブチルホルムアミド、およびＮ，Ｎ−ジイソプロピルアセトアミド。
【００３７】
本発明のケトン可溶化剤には、式Ｒ１Ｃ（Ｏ）Ｒ２で表されるケトン類が含まれるが、Ｒ１およびＲ２は、１〜１２個の炭素原子を有する脂肪族、脂環式およびアリール炭化水素基から独立して選択され、前記ケトン類は、約７０〜約３００原子質量単位の分子量を有する。前記ケトン類の中のＲ１およびＲ２は、１〜９個の炭素原子を有する脂肪族および脂環式炭化水素基から独立して選択されるのが好ましい。前記ケトン類の分子量は、好ましくは約１００〜２００原子質量単位である。Ｒ１およびＲ２が一緒になって、ヒドロカルビレン基を形成して、５員、６員、または７員環の環状ケトン、たとえばシクロペンタノン、シクロヘキサノン、およびシクロヘプタノンを形成してもよい。Ｒ１およびＲ２には、場合によっては、置換された炭化水素基、すなわち、ハロゲン（たとえば、フッ素、塩素）およびアルコキシド（たとえば、メトキシ）から選択される非炭化水素置換基を含む基が含まれていてもよい。Ｒ１およびＲ２には、場合によっては、ヘテロ原子−置換の炭化水素基、すなわち、その他は炭素原子からなる基鎖の中に、原子の窒素（アザ−）、酸素（ケト−、オキサ−）または硫黄（チア−）を含む基が含まれていてもよい。一般的に、Ｒ１およびＲ２の中の１０個の炭素原子あたりに、３個以下の非炭化水素置換基およびヘテロ原子、好ましくは１個以下のそれらが存在し、そしていずれかそのような非炭化水素置換基およびヘテロ原子の存在は、上述の分子量の制限に適用されると考えなければいけない。一般式Ｒ１Ｃ（Ｏ）Ｒ２の中の、代表的なＲ１およびＲ２の脂肪族、脂環式およびアリール炭化水素基としては、メチル、エチル、プロピル、イソプロピル、ブチル、イソブチル、ｓｅｃ−ブチル、ｔｅｒｔ−ブチル、ペンチル、イソペンチル、ネオペンチル、ｔｅｒｔ−ペンチル、シクロペンチル、シクロヘキシル、ヘプチル、オクチル、ノニル、デシル、ウンデシル、ドデシルおよびそれらの立体は位置的異性体、さらには、フェニル、ベンジル、クミニル、メシチル、トリル、キシリルおよびフェネチルなどが挙げられる。
【００３８】
代表的なケトン可溶化剤を挙げれば以下のようなものがある（これらに限定される訳ではない）：２−ブタノン、２−ペンタノン、アセトフェノン、ブチロフェノン、ヘキサノフェノン、シクロヘキサノン、シクロヘプタノン、２−ヘプタノン、３−ヘプタノン、５−メチル−２−ヘキサノン、２−オクタノン、３−オクタノン、ジイソブチルケトン、４−エチルシクロヘキサノン、２−ノナノン、５−ノナノン、２−デカノン、４−デカノン、２−デカロン、２−トリデカノン、ジヘキシルケトンおよびジシクロヘキシルケトン。
【００３９】
本発明のニトリル可溶化剤には、式Ｒ１ＣＮで表されるニトリル類が含まれ、Ｒ１は、５〜１２個の炭素原子を有する脂肪族、脂環式またはアリール炭化水素基から選択され、前記ニトリル類は、約９０〜約２００原子質量単位の分子量を有する。前記ニトリル可溶化剤の中のＲ１は、８〜１０個の炭素原子を有する脂肪族および脂環式炭化水素基から選択するのが好ましい。前記ニトリル可溶化剤の分子量は、好ましくは約１２０〜約１４０原子質量単位である。Ｒ１には、場合によっては、置換された炭化水素基、すなわち、ハロゲン（たとえば、フッ素、塩素）およびアルコキシド（たとえば、メトキシ）から選択される非炭化水素置換基を含む基が含まれていてもよい。Ｒ１には、場合によっては、ヘテロ原子−置換の炭化水素基、すなわち、その他は炭素原子からなる基鎖の中に、原子の窒素（アザ−）、酸素（ケト−、オキサ−）または硫黄（チア−）を含む基が含まれていてもよい。一般的に、Ｒ１中の１０個の炭素原子あたりに、３個以下の非炭化水素置換基およびヘテロ原子、好ましくは１個以下のそれらが存在し、そしていずれかそのような非炭化水素置換基およびヘテロ原子の存在は、上述の分子量の制限に適用されると考えなければいけない。一般式Ｒ１ＣＮにおける代表的なＲ１の脂肪族、脂環式およびアリール炭化水素基を挙げれば、ペンチル、イソペンチル、ネオペンチル、ｔｅｒｔ−ペンチル、シクロペンチル、シクロヘキシル、ヘプチル、オクチル、ノニル、デシル、ウンデシル、ドデシルおよびそれらの立体は位置的異性体、さらにはフェニル、ベンジル、クミニル、メシチル、トリル、キシリルおよびフェネチルなどがある。代表的なニトリル可溶化剤としては以下のようなものが挙げられる（これらに限定される訳ではない）：１−シアノペンタン、２，２−ジメチル−４−シアノペンタン、１−シアノヘキサン、１−シアノヘプタン、１−シアノオクタン、２−シアノオクタン、１−シアノノナン、１−シアノデカン、２−シアノデカン、１−シアノウンデカンおよび１−シアノドデカン。
【００４０】
本発明のクロロカーボン可溶化剤には、式ＲＣｌｘで表されるクロロカーボン類が含まれるが、ｘは、１または２の整数から選択され；Ｒは、１〜１２個の炭素原子を有する脂肪族および脂環式炭化水素基から選択され；前記クロロカーボン類は、約１００〜約２００原子質量単位の分子量を有する。前記クロロカーボン可溶化剤の分子量は、好ましくは約１２０〜１５０原子質量単位である。一般式ＲＣｌｘにおける代表的なＲの脂肪族および脂環式炭化水素基としては、メチル、エチル、プロピル、イソプロピル、ブチル、イソブチル、ｓｅｃ−ブチル、ｔｅｒｔ−ブチル、ペンチル、イソペンチル、ネオペンチル、ｔｅｒｔ−ペンチル、シクロペンチル、シクロヘキシル、ヘプチル、オクチル、ノニル、デシル、ウンデシル、ドデシルおよびそれらの立体配置的異性体などが挙げられる。
【００４１】
代表的なクロロカーボン可溶化剤としては以下のようなものが挙げられる（これらに限定される訳ではない）：３−（クロロメチル）ペンタン、３−クロロ−３−メチルペンタン、１−クロロヘキサン、１，６−ジクロロヘキサン、１−クロロヘプタン、１−クロロオクタン、１−クロロノナン、１−クロロデカン、および１，１，１−トリクロロデカン。
【００４２】
本発明のエステル可溶化剤には、一般式Ｒ１ＣＯ２Ｒ２によって表されるエステル類が含まれるが、Ｒ１およびＲ２は、線状および環状、飽和および不飽和、アルキルおよびアリール基から独立して選択される。好適なエステル類は、本質的に元素Ｃ、ＨおよびＯからなり、約８０〜約５５０原子質量単位の分子量を有する。
【００４３】
代表的なエステル類としては以下のようなものが挙げられる（これらに限定される訳ではない）：（ＣＨ３）２ＣＨＣＨ２ＯＯＣ（ＣＨ２）２〜４ＯＣＯＣＨ２ＣＨ（ＣＨ３）２（ジイソブチル二酸エステル）、ヘキサン酸エチル、ヘプタン酸エチル、プロピオン酸ｎ−ブチル、プロピオン酸ｎ−プロピル、安息香酸エチル、フタル酸ジ−ｎ−プロピル、安息香酸エトキシエチルエステル、ジプロピルカーボネート、「エグゼート（Ｅｘｘａｔｅ）７００」（市販の酢酸Ｃ７アルキル）、「エグゼート（Ｅｘｘａｔｅ）８００」（市販の酢酸Ｃ８アルキル）、フタル酸ジブチル、および酢酸ｔｅｒｔ−ブチル。
【００４４】
本発明のラクトン可溶化剤には、構造［Ａ］、［Ｂ］、および［Ｃ］で表されるラクトン類が含まれる。
【００４５】
【化１】
2008500436.tif 000006
【００４６】
これらのラクトン類には、６員環（Ａ）、または好ましくは５員環（Ｂ）中に官能基−ＣＯ２−が含まれ、ここで構造［Ａ］および［Ｂ］では、Ｒ１〜Ｒ８は、水素、または線状、分枝状、環状、２環式、飽和および不飽和のヒドロカルビル基から独立して選択される。Ｒ１〜Ｒ８のそれぞれは、他のＲ１〜Ｒ８と一緒になって環を形成してもよい。構造［Ｃ］のように、ラクトンが環外アルキリデン基を有していてもよいが、ここでＲ１〜Ｒ６は独立して、水素または、線状、分枝状、環状、２環式、飽和および不飽和のヒドロカルビル基から選択される。Ｒ１〜Ｒ６のそれぞれは、他のＲ１〜Ｒ６と一緒になって環を形成してもよい。このラクトン可溶化剤は、約８０〜約３００原子質量単位、好ましくは約８０〜約２００原子質量単位の範囲の分子量を有する。
【００４７】
代表的なラクトン可溶化剤としては、表４に列記したような化合物が挙げられるが、これらに限定される訳ではない。
【００４８】
【表５】
2008500436.tif 000007
【００４９】
【表６】
2008500436.tif 000008
【００５０】
【表７】
2008500436.tif 000009
【００５１】
【表８】
2008500436.tif 000010
【００５２】
ラクトン可溶化剤は一般に、４０℃において約７センチストークス未満の動粘度を有する。たとえば、共に４０℃において、ガンマ−ウンデカラクトンは、５．４センチストークスの動粘度を有し、シス−（３−ヘキシル−５−メチル）ジヒドロフラン−２−オンは４．５センチストークスの粘度を有する。ラクトン可溶化剤は、市販品を購入してもよいし、あるいは米国特許公報（特許文献１）（発明者：Ｐ．Ｊ．ファガン（Ｐ．Ｊ．Ｆａｇａｎ）およびＣ．Ｊ．ブランデンブルグ（Ｃ．Ｊ．Ｂｒａｎｄｅｎｂｕｒｇ）、出願日；２００４年８月３日）に記載されているような方法により調製することもできる（その出願を参照により本明細書に援用する）。
【００５３】
本発明のアリールエーテル可溶化剤にはさらに、式Ｒ１ＯＲ２で表されるアリールエーテル類を含むが、Ｒ１は、６〜１２個の炭素原子を有するアリール炭化水素基から選択され；Ｒ２は、１〜４個の炭素原子を有する脂肪族炭化水素基から選択され；前記アリールエーテル類は、約１００〜約１５０原子質量単位の分子量を有する。一般式Ｒ１ＯＲ２における代表的なＲ１アリール基としては、フェニル、ビフェニル、クミニル、メシチル、トリル、キシリル、ナフチルおよびピリジルなどが挙げられる。一般式Ｒ１ＯＲ２における代表的なＲ２脂肪族炭化水素基としては、メチル、エチル、プロピル、イソプロピル、ブチル、イソブチル、ｓｅｃ−ブチル、およびｔｅｒｔ−ブチルなどが挙げられる。代表的な芳香族エーテル可溶化剤としては以下のようなものが挙げられる（これらに限定される訳ではない）：メチルフェニルエーテル（アニソール）、１，３−ジメチオキシベンゼン、エチルフェニルエーテル、およびブチルフェニルエーテル。
【００５４】
本発明のフルオロエーテル可溶化剤には、一般式Ｒ１ＯＣＦ２ＣＦ２Ｈで表されるものが含まれるが、Ｒ１は、約５〜約１５個の炭素原子を有する脂肪族および脂環式炭化水素基、好ましくは一級の、線状飽和アルキル基から選択される。代表的なフルオロエーテル可溶化剤としては、Ｃ８Ｈ１７ＯＣＦ２ＣＦ２ＨおよびＣ６Ｈ１３ＯＣＦ２ＣＦ２Ｈなどが挙げられるが、これらに限定される訳ではない。冷媒がフルオロエーテルである場合には、その可溶化剤は同一のフルオロエーテルであってはならないことに注意されたい。
【００５５】
フルオロエーテル可溶化剤には、フルオロオレフィン類とポリオール類とから誘導されたエーテル類がさらに含まれていてもよい。フルオロオレフィン類はＣＦ２＝ＣＸＹ（Ｘは、水素、塩素またはフッ素であり、Ｙは塩素、フッ素、ＣＦ３またはＯＲｆであり、Ｒｆは、ＣＦ３、Ｃ２Ｆ５、またはＣ３Ｆ７である）のものである。代表的なフルオロオレフィン類としては、テトラフルオロエチレン、クロロトリフルオロエチレン、ヘキサフルオロプロピレン、およびペルフルオロメチルビニルエーテルなどが挙げられる。ポリオール類は、ＨＯＣＨ２ＣＲＲ’（ＣＨ２）ｚ（ＣＨＯＨ）ｘＣＨ２（ＣＨ２ＯＨ）ｙタイプ（ＲおよびＲ’は水素またはＣＨ３またはＣ２Ｈ５であり、ｘは、０〜４の整数であり、ｙは０〜３の整数であり、ｚは０または１のいずれかである）のものである。代表的なポリオールは、トリメチロールプロパン、ペンタエリスリトール、ブタンジオール、およびエチレングリコールである。
【００５６】
本発明の１，１，１−トリフルオロアルカン可溶化剤には、一般式ＣＦ３Ｒ１で表される１，１，１−トリフルオロアルカン類が含まれるが、Ｒ１は、約５〜約１５個の炭素原子を有する脂肪族および脂環式炭化水素基、好ましくは一級で線状の飽和アルキル基から選択される。代表的な１，１，１−トリフルオロアルカン可溶化剤としては、１，１，１−トリフルオロヘキサンおよび１，１，１−トリフルオロドデカンが挙げられるが、これらに限定される訳ではない。
【００５７】
本発明の可溶化剤は、単一の化合物として存在させてもよいし、あるいは、２種以上の可溶化剤の混合物として存在させてもよい。可溶化剤の混合物には、同じクラスの化合物からの２種の可溶化剤、たとえば２種のラクトン類を含んでいてもよいし、または２つの異なったクラスからの２種の可溶化剤、たとえばラクトンとポリオキシアルキレングリコールエーテルを含んでいてもよい。
【００５８】
冷媒およびＵＶ蛍光染料を含むか、または伝熱流体およびＵＶ蛍光染料を含む、本発明の組成物においては、その組成物の約０．００１重量パーセント〜約１．０重量パーセント、好ましくは約０．００５重量パーセント〜約０．５重量パーセント、最も好ましくは０．０１重量パーセント〜約０．２５重量パーセントが、がＵＶ染料である。
【００５９】
それらのＵＶ蛍光染料の冷媒および伝熱組成物中への溶解度は低い。そのため、冷凍装置または空気調節装置の中にそれらの染料を導入するための方法は、扱いにくく、コストも時間もかかるものであった。米国特許公報（特許文献２）には、染料の粉末、固形ペレット、または染料のスラリーを用いて、それらを冷凍装置または空気調節装置の成分の中に挿入する方法が記載されている。冷媒および潤滑剤がその装置の中で循環されるので、染料が溶解されるか分散されて装置の隅々にまで運ばれる。冷凍装置または空気調節装置の中へ染料を導入するためのその他多くの方法が文献に記載されている。
【００６０】
ＵＶ蛍光染料を冷媒そのものの中に溶解させることが可能であって、それにより、冷凍装置または空気調節装置に導入するために何か特別な方法を必要としないのが、理想的である。本発明は、ＵＶ蛍光染料を含む組成物に関し、その染料は、冷媒の中の系に導入することが可能である。本発明の組成物によれば、たとえ低温であっても、染料を溶液の中に維持しながら、その染料を含有する冷媒および伝熱流体の貯蔵および運搬が可能となる。
【００６１】
冷媒、ＵＶ蛍光染料および可溶化剤を含むか、または伝熱流体およびＵＶ蛍光染料および可溶化剤を含む本発明の組成物においては、その組み合わせた組成物の内の約１〜約５０重量パーセント、好ましくは約２〜約２５重量パーセント、最も好ましくは約５〜約１５重量パーセントが、冷媒または伝熱流体の中の可溶化剤である。本発明の組成物中には、ＵＶ蛍光染料は冷媒または伝熱流体の中に、約０．００１重量パーセント〜約１．０重量パーセント、好ましくは０．００５重量パーセント〜約０．５重量パーセント、最も好ましくは０．０１重量パーセント〜約０．２５重量パーセントの濃度で存在させる。
【００６２】
場合によっては、一般的に使用される冷凍システムまたは空気調節システム添加剤を、所望に応じて本発明の組成物に添加して、性能の向上や系の安定化を図ってもよい。そのような添加物は、冷凍および空気調節の分野においては公知であり、たとえば、摩耗防止剤、極圧潤滑剤、腐食および酸化防止剤、金属表面不活性化剤、フリーラジカル捕捉剤、および発泡調節剤などが挙げられるが、これらに限定される訳ではない。一般的には、これらの添加剤を、本発明の組成物の中に、組成物全体に対しては少量で存在させる。典型的には、それぞれの添加剤を約０．１重量パーセント未満から、多くても約３重量パーセントの濃度で使用する。これらの添加物は、個々のシステムにおける必要に合わせて選択する。これらの添加物としては、ＥＰ（極圧）潤滑添加剤のリン酸トリアリールファミリーのメンバー、たとえば、リン酸ブチル化トリフェニル（ＢＴＰＰ）、またはその他のリン酸アルキル化トリアリールエステル、たとえば、アクゾ・ケミカルズ（Ａｋｚｏ  Ｃｈｅｍｉｃａｌｓ）からのシン−オ−Ａｄ（Ｓｙｎ−Ｏ−Ａｄ）８４７８である、リン酸トリクレジルおよび関連化合物などが挙げられる。さらに、金属ジアルキルジチオホスフェート（たとえば、亜鉛ジアルキルジチオホスフェート（またはＺＤＤＰ）、ブルリゾール（Ｌｕｂｒｉｚｏｌ）１３７５、ならびにこの化学物質ファミリーのその他のメンバーも、本発明の組成物において使用することができる。その他の摩耗防止添加剤としては、天然産物のオイル類、および非対称ポリヒドロキシル潤滑添加剤、たとえばシナーゴル（Ｓｙｎｅｒｇｏｌ）ＴＭＳ（インターナショナル・ルブリカンツ（Ｉｎｔｅｒｎａｔｉｏｎａｌ  Ｌｕｂｒｉｃａｎｔｓ）製）などが挙げられる。同様にして、抗酸化剤、フリーラジカル捕捉剤、および水捕捉剤などの安定剤を用いることも可能である。このカテゴリーに入る化合物としては、ブチル化ヒドロキシトルエン（ＢＨＴ）およびエポキシドなどが挙げられるが、これらに限定される訳ではない。
【００６３】
ケトン類などの可溶化剤は、不快臭を有することもあるが、不快臭は、臭気マスキング剤または芳香剤を添加することによりマスキングすることが可能である。臭気マスキング剤または芳香剤の典型例としては、エバーグリーン（Ｅｖｅｒｇｒｅｅｎ）、フレッシュ・レモン（Ｆｒｅｓｈ  Ｌｅｍｏｎ）、チェリー（Ｃｈｅｒｒｙ）、シナモン（Ｃｉｎｎａｍｏｎ）、ペパーミント（Ｐｅｐｐｅｒｍｉｎｔ）、フローラル（Ｆｌｏｒａｌ）またはオレンジ・ピール（Ｏｒａｎｇｅ  Ｐｅｅｌ）など（すべて市販されている）、さらにはｄ−リモネンおよびピネンなどが挙げられる。そのような臭気マスキング剤は、臭気マスキング剤と可溶化剤を合計した重量を基準にして、約０．００１％から、最高約１５重量％までの濃度で使用できる。
【００６４】
本発明はさらに、冷凍装置または空気調節装置における、紫外線蛍光染料、および場合によっては可溶化剤をさらに含む冷媒または伝熱流体組成物の使用方法にも関する。その方法には、冷媒または伝熱流体組成物を冷凍装置または空気調節装置の中に導入する工程を含む。これは、可溶化剤の存在下に冷媒または伝熱流体組成物の中にＵＶ蛍光染料を溶解させ、その組合せ物を装置の中に導入することにより実施される。別な方法としてこれを、可溶化剤とＵＶ蛍光染料を組み合せて、前記組合せ物を、冷媒および／または伝熱流体を含む冷凍装置または空気調節装置の中に導入することによっても、実施することができる。得られる組成物は、冷凍装置または空気調節装置の中で使用することができる。
【００６５】
本発明はさらに、漏洩を検出する目的で紫外線蛍光染料を含む冷媒または伝熱流体組成物を使用する方法にも関する。組成物の中にその染料を存在させることによって、冷凍装置または空気調節装置の中での冷媒の漏洩を検出することが可能となる。漏洩が検出できれば、装置またはシステムの不適切な操作または装置の故障に、対処し、解決し、あるいは防止することに役立つ。漏洩の検出はさらに、装置の運転において使用される化学物質を含むのにも役立つ。
【００６６】
その方法には、本明細書に記載されているような、冷媒、紫外線蛍光染料を含むか、または伝熱流体およびＵＶ蛍光染料を含む組成物、および場合によっては、本明細書に記載されているような可溶化剤を、冷凍および空気調節装置に備えること、ならびにＵＶ蛍光染料含有冷媒を検出するために適した手段を用いること、が含まれる。その染料を検出するために適した手段としては、紫外線ランプ（「ブラックライト」または「ブルーライト」と呼ばれることが多い）が挙げられるが、これに限定される訳ではない。そのような紫外線ランプは、多くのメーカーから、この目的のために特別に設計されたものが市販されている。紫外線蛍光染料を含む組成物が冷凍装置または空気調節装置に導入され、系全体に循環されるようになると、前記の紫外線ランプで装置を照らすと、漏洩ポイントがあれば近傍に蛍光が観察されるので、漏洩を発見することが可能である。
【００６７】
本発明はさらに、冷凍または熱を発生させるために本発明の組成物を使用する方法にも関するが、ここでその方法には、冷却されるべき物体の近傍で前記組成物を蒸発させて冷凍を発生させ、その後に前記組成物を凝縮させること、または、加熱されるべき物体の近傍で前記組成物を凝縮させて熱を発生させ、その後に前記組成物を蒸発させること、が含まれる。
【００６８】
機械冷凍は本来的に熱力学の応用であって、そこでは冷却媒体たとえば冷媒がサイクルを循環して、回収して再使用することが可能である。一般的に使用されるサイクルとしては、蒸気圧縮、吸収、蒸気噴射または蒸気エジェクター、および空気が挙げられる。
【００６９】
蒸気圧縮冷凍システムには、蒸発器、圧縮機、凝縮器、および膨張機器が含まれる。蒸気圧縮サイクルでは、多段で冷媒を再使用し、一つの段では冷却効果を発生させ、別な段では加熱効果を発生させる。そのサイクルは、簡単には以下のように記述することができる。液体の冷媒が膨張機器を通して蒸発器に入り、その液体の冷媒が低温で蒸発器の中で沸騰して、ガスとなり、冷却を発生する。その低圧のガスが圧縮機に入り、そこでガスが圧縮されてその圧力と温度が上昇する。次いで、その高圧（圧縮された）ガス状の冷媒が凝縮器に入り、そこで冷媒が凝縮して、その熱を環境に対して排出する。その冷媒は膨張機器に戻り、その中を通る間に、その液体が、凝縮器の中でのより高い圧力レベルから、蒸発器の中の低い圧力レベルへと膨張して、サイクルが繰り返される。
【００７０】
冷凍用途において使用することが可能な、各種のタイプの圧縮機が存在する。圧縮機は一般的には、流体を圧縮する機械的手段による分類では、往復動式、回転式、ジェット式、遠心式、スクロール式、スクリュー式もしくは軸流式、または、圧縮される流体に対する機械要素の作用による分類では、容積式（たとえば、往復動、スクロール式またはスクリュー式）もしくは動的（たとえば、遠心式またはジェット式）に分類される。
【００７１】
容積式圧縮機、動圧縮機のいずれも本発明の方法において使用することが可能である。遠心式タイプの圧縮機は、本発明の冷媒組成物に好適な装置である。
【００７２】
遠心圧縮機では、回転要素を用いて冷媒を外側に加速し、典型的にはケーシングの中に収容されたインペラーとディフューザーが含まれる。遠心圧縮機では通常、インペラーアイまたは回転するインペラーの中央の入口に流体を取り入れ、それを外側へ向けて加速する。いくぶんかの静圧上昇がインペラーの中でも起きるが、大部分の静圧上昇はケーシングのディフューザー部分で起きて、そこで速度が静圧に転換される。それぞれのインペラー−ディフューザーの組合せが圧縮機の１段である。遠心圧縮機は、最終的に所望する圧力および処理する冷媒の容積に応じて、１〜１２またはそれ以上の段で構成される。
【００７３】
圧縮機の圧力比または圧縮比は、排出の絶対圧の入口での絶対圧に対する比である。遠心圧縮機によって発生する圧力は、比較的に広い容積範囲にわたって、実質的に一定である。
【００７４】
容積式圧縮機では、蒸気をチャンバーに引き入れ、そのチャンバーの容積を低下させて蒸気を圧縮する。圧縮させた後で、そのチャンバーの容積をさらにゼロまたはほとんどゼロにまで減じることにより、チャンバーから蒸気を強制的に押し出す。容積式圧縮機は圧力を上げることができるが、その圧力は、容積効率と、その圧力に耐えうる部材の強度によってのみ制限される。
【００７５】
容積式圧縮機の場合と異なって、遠心圧縮機では、インペラーを通過する蒸気を圧縮するための高速インペラーの遠心力に全面的に依存している。容積の変化はなく、むしろ動的な圧縮と呼ばれるものが存在する。
【００７６】
遠心圧縮機が発生させることが可能な圧力は、インペラーの先端速度に依存する。先端速度とは、その先端で測定したインペラーの速度であって、インペラーの直径とその１分あたりの回転速度に関係する。遠心圧縮機の能力は、インペラーの通路のサイズによって決まる。このことから、圧縮機のサイズが、容積よりも必要とされる圧力に依存することになる。
【００７７】
その運転が高速であることから、遠心圧縮機は基本的には高容積、低圧力の機械である。遠心圧縮機は低圧冷媒、たとえばトリクロロフルオロメタン（ＣＦＣ−１１）または１，２，２−トリクロロトリフルオロエタン（ＣＦＣ−１１３）の場合に最も効率がよい。
【００７８】
大型の遠心圧縮機は典型的には、３０００〜７０００回転／分（ｒｐｍ）で運転される。小型のタービン遠心圧縮機は、高速の約４０，０００〜約７０，０００（ｒｐｍ）用に設計され、小さく、典型的には０．１５メートル未満のインペラーサイズを有する。
【００７９】
遠心圧縮機においては、多段インペラーを使用することで圧縮機効率を改良して、使用時に必要な圧力を低下させている。２段システムでは、運転時には、第一段のインペラーの排出ガスが、第二のインペラーの吸引入口に行く。両方のインペラーを、単一のシャフト（または軸）を用いて運転することができる。それぞれの段で、約４対１の圧縮比とすることが可能である、すなわち、排出絶対圧を、吸引絶対圧の４倍にすることが可能である。二段遠心圧縮機システムの一例（この場合は自動車用途）が、米国特許公報（特許文献３）に記載されている（この特許を参照により本明細書に援用する）。
【００８０】
遠心圧縮機を用いた冷凍システムまたは空気調節システムにおいて使用するのに適した本発明の組成物には、以下のものの少なくとも１種が含まれる：
１，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；
１，１，１，２，２，４，５，５，５−ノナフルオロ−４−（トリフルオロメチル）−３−ペンタノンおよび１，１，１，２，２，３，３−ヘプタフルオロ−３−メトキシプロパン；または
１，１，１，２，２，４，５，５，５−ノナフルオロ−４−（トリフルオロメチル）−３−ペンタノンおよび１−エトキシ−１，１，２，２−テトラフルオロエタン。
【００８１】
上に列記したこれらの組成物は、多段遠心圧縮機、好ましくは二段遠心圧縮機機器において使用するのにも適している。
【００８２】
本発明の組成物は、定置式の空気調節、ヒートポンプ、または移動式の空気調節および冷凍システムにおいて使用することができる。定置式の空気調節およびヒートポンプ用途には、窓用、ダクトレス、ダクト式、パッケージドターミナルチラーや、商業用、たとえばパーケージドルーフトップなどが挙げられる。冷凍用途としては、室内または家庭用（ｄｏｍｅｓｔｉｃ  ａｎｄ  ｈｏｍｅ）冷蔵庫およびフリーザー、製氷器、独立式（ｓｅｌｆ−ｃｏｎｔａｉｎｅｄ）クーラーおよびフリーザー、移動式のクーラーおよびフリーザー、および輸送用冷凍システムなどが挙げられる。
【００８３】
本発明の組成物はさらに、フィン・アンド・チューブ熱交換器、マイクロチャンネル熱交換器、ならびに垂直または水平式の、シングルパスチューブ式またはプレート式熱交換器を用いる、空気調節、加熱および冷凍システムにおいても使用することができる。
【００８４】
本発明の低圧冷媒組成物にとっては、通常使用されているマイクロチャンネル熱交換器は理想的なものではない。運転圧力と密度が低いために、すべての機器において高い流速と高い摩擦損失が発生する。このような場合には、蒸発器の設計を変更するのがよい。（冷媒の流路に関して）直列に接続された複数のマイクロチャンネルスラブよりは、シングルスラブ／シングルパス熱交換器配置を使用することができる。したがって、本発明の低圧冷媒に好適な熱交換器は、シングルスラブ／シングルパス熱交換器である。
【００８５】
二段またはその他多段の遠心圧縮機装置に加えて、シングルスラブ／シングルパス熱交換器を用いた冷凍装置または空気調節装置において使用するには、以下の本発明の組成物が適している：
１，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；
１，１，１，２，２，４，５，５，５−ノナフルオロ−４−（トリフルオロメチル）−３−ペンタノンおよび１，１，１，２，２，３，３−ヘプタフルオロ−３−メトキシプロパン；または
１，１，１，２，２，４，５，５，５−ノナフルオロ−４−（トリフルオロメチル）−３−ペンタノンおよび１−エトキシ−１，１，２，２−テトラフルオロエタン。
【００８６】
本発明の組成物は、自動車および窓用の空気調節またはヒートポンプ、さらにはその他の用途において使用される、小型のタービン遠心圧縮機において特に有用である。それらの高効率小型遠心圧縮機は電気モーターで駆動することが可能であって、そのためエンジン速度とは独立して運転できる。圧縮機の速度を一定にすることで、エンジン速度に関係なく、そのシステムが、比較的一定の冷却能力を発揮することが可能となる。それによって、常用されているＲ−１３４ａ自動車用空気調節システムに比較して、特にエンジン速度が高い場合に、効率改善の可能性がある。高速で駆動している、通常使用されているシステムのサイクル運転を考慮に入れれば、これらの低圧システムのメリットが一段と大きくなる。
【００８７】
本発明の低圧冷媒流体のいくつかは、既存の遠心式装置におけるＣＦＣ−１１３の代わりに注入する（ｄｒｏｐ−ｉｎ）のに適している。
【００８８】
本発明はさらに、本発明の組成物を冷却されるべき物体の近傍で蒸発させ、次いで前記組成物を凝縮させることを含む冷凍を発生させるための方法に関する。
【００８９】
本発明はさらに、本発明の組成物を加熱されるべき物体の近傍で凝縮させ、次いで前記組成物を蒸発させることを含む熱を発生させるための方法に関する。
【００９０】
本発明はさらに、ヒートソースからヒートシンクへ熱を輸送するための方法に関するが、ここでは、本発明の組成物は伝熱流体として機能する。伝熱のための前記方法には、本発明の組成物をヒートソースからヒートシンクへ輸送することが含まれる。
【００９１】
伝熱流体は、ひとつの空間、位置、対象物または物体から、他の空間、位置、対象物または物体へと、輻射、伝導または対流によって、熱を輸送、移動、または除去するために使用することができる。伝熱流体は、離れた位置にある冷凍（または加熱）システムから、冷却（または加熱）のために輸送する手段を提供することにより、二次的な冷媒として機能することができる。いくつかのシステムにおいては、伝熱流体が、その輸送プロセス全体で一定の状態を保つ（すなわち、蒸発または凝縮をしない）ようにすることができる。別な方法として、蒸発による冷却をするプロセスで、同様にして、伝熱流体を使用することもできる。
【００９２】
ヒートソースは、それから熱を輸送、移動または除去するのが望ましい、各種の空間、位置、対象物または物体と定義される。ヒートソースの例としては、冷凍または冷却を必要とする（開放または密閉）空間たとえば冷凍庫またはスーパーマーケットの冷凍ケース、空気調節が必要とされるビルディング空間、あるは、空気調節が必要とされる自動車の乗車空間などが挙げられる。ヒートシンクは、熱を吸収することができる、各種の空間、位置、対象物または物体と定義される。蒸気圧縮冷凍システムは、そのようなヒートシンクの一例である。
【実施例】
【００９３】
（実施例１）
（蒸気漏洩の影響）
容器に、特定の温度で初期組成物を充填し、その組成物の初期蒸気圧を測定する。温度は一定に保ちながら、その組成物をその容器から漏洩させて、初期組成物の５０重量パーセントが除去されるまで続けて、その時点でその容器の中に残存している組成物の蒸気圧を測定する。数学的に予想される結果を下記の表５にまとめた。
【００９４】
【表９】
2008500436.tif 000011
【００９５】
【表１０】
2008500436.tif 000012
【００９６】
【表１１】
2008500436.tif 000013
【００９７】
【表１２】
2008500436.tif 000014
【００９８】
【表１３】
2008500436.tif 000015
【００９９】
【表１４】
2008500436.tif 000016
【０１００】
【表１５】
2008500436.tif 000017
【０１０１】
【表１６】
2008500436.tif 000018
【０１０２】
これらの結果から、初期組成物と、５０重量パーセント漏洩後に残存する組成物との間の蒸気圧の差が、本発明の組成物では約１０パーセント未満であることが判る。このことは、本発明の組成物が共沸性または近共沸性であることを示している。共沸混合物が存在しているので、これらのデータは、本発明の組成物が、いずれの純粋成分の蒸気圧よりも高い初期蒸気圧を有していることを示している。
【０１０３】
（実施例２）
（圧力を発生させるための先端速度）
先端速度は、遠心圧縮機を使用する冷凍装置における、いくつかの基礎的な関係付けを行うことにより推測することが可能である。インペラーがガスに理想的に付与するトルクは、次式で定義される：
Ｔ＝ｍ＊（ｖ２＊ｒ２−ｖ１＊ｒ１）    数式１
ここで、
Ｔ＝トルク（Ｎ＊ｍ）
ｍ＝質量流速（ｋｇ／ｓ）
ｖ２＝インペラーを去る冷媒の接線速度（先端速度）（ｍ／ｓ）
ｒ２＝出口インペラーの半径、ｍ
ｖ１＝インペラーに入る冷媒の接線速度（ｍ／ｓ）
ｒ１＝インペラー入口の半径、ｍ
【０１０４】
インペラーに冷媒が実質的に半径方向に入ると仮定すると、その結果、その速度の接線方向成分ｖ１＝０となる。
Ｔ＝ｍ＊ｖ２＊ｒ２    数式２
【０１０５】
シャフトにおいて必要とされる動力は、トルクと回転速度の積である。
Ｐ＝Ｔ＊ｗ    数式３
ここで、
Ｐ＝動力、Ｗ
ｗ＝回転速度、ｒｅｚ／ｓ
したがって、
Ｐ＝Ｔ＊ｗ＝ｍ＊ｖ２＊ｒ２＊ｗ    数式４
【０１０６】
冷媒の流速が低いところでは、インペラーの先端速度と冷媒の接線速度とはほとんど同じであるので、
ｒ２＊ｗ＝ｖ２    数式５
および
Ｐ＝ｍ＊ｖ２＊ｖ２    数式６
【０１０７】
理想動力のもう一つの式は、質量流速と、圧縮の等エントロピー仕事の積である。
Ｐ＝ｍ＊Ｈｉ＊（１０００Ｊ／ｋＪ）    数式７
ここで、
Ｈｉ＝蒸発条件における飽和蒸気から飽和凝縮条件までの冷媒のエンタルピーの差、ｋＪ／ｋｇ。
【０１０８】
数式６と数式７の二つの式を組み合わせると、次式が得られる：
ｖ２＊ｖ２＝１０００＊Ｈｉ    数式８
【０１０９】
数式８はいくつかの基本的な仮定をベースにしてはいるが、インペラーの先端速度についての良好な推定値を与え、冷媒の先端速度を比較する重要な手段を提供する。
【０１１０】
下記の表に、１，２，２−トリクロロトリフルオロエタン（ＣＦＣ−１１３）および本発明の組成物について計算した、理論先端速度を示す。この比較のために仮定した条件は次の通りである：    蒸発器温度：４０．０゜Ｆ（４．４℃）
凝縮器温度：１１０．０゜Ｆ（４３．３℃）
液体サブクール温度：１０．０゜Ｆ（５．５℃）
戻りガス温度：７５．０゜Ｆ（２３．８℃）
圧縮機効率：７０％
【０１１１】
これらは、小型タービン遠心圧縮機が稼働する際の典型的な条件である。
【０１１２】
【表１７】
2008500436.tif 000019
【０１１３】
この実施例は、本発明の化合物が、ＣＦＣ−１１３の約±１０パーセントに入る先端速度を有していて、圧縮機設計変更を最小限にとどめて、ＣＦＣ−１１３の効果的な代替物となりうることを示している。
【０１１４】
（実施例３）
（性能データ）
以下の表において、各種の冷媒の性能をＣＦＣ−１１３と比較して示す。これらのデータは、以下の条件をベースにしたものである。
蒸発器温度：４０．０゜Ｆ（４．４℃）
凝縮器温度：１１０．０゜Ｆ（４３．３℃）
サブクール温度：１０．０゜Ｆ（５．５℃）
戻りガス温度：７５．０゜Ｆ（２３．８℃）
圧縮機効率：７０％
【０１１５】
【表１８】
2008500436.tif 000020
【０１１６】
これらのデータから、本発明の組成物が、ＣＦＣ−１１３に類似の蒸発器および凝縮器圧力を有していることが判る。さらに、いくつかの組成物は、ＣＦＣ−１１３よりも高い能力およびエネルギー効率（ＣＯＰ）を有している。
【国際調査報告】
2008500436.tif 000022